(57)【特許請求の範囲】
【請求項１】
先端部にチップが着脱可能に取り付けられる円筒状のバーナ本体と、該バーナ本体の基端部に着脱可能に取り付けられて該バーナ本体を支持する支持部材とを備えたバーナのメンテナンス用の作業台であって、
脚部と、該脚部の上部に水平に設けられる天板部と、該天板部の上部に設けられて前記バーナを該天板部の上部に水平に支持する支持手段とを備え、
前記支持手段は、前記バーナ本体の基端部の支持部材を支持する第１支持部と、前記バーナ本体の先端部を支持する第２支持部とを備え、
前記第１支持部は、前記支持部材の少なくとも一部を嵌合させることにより、前記バーナ本体の前記天板部上での回動を規制する回動規制部を備え、
前記第２支持部は、前記バーナ本体の先端部を嵌合させる送り駒と、該送り駒を前記天板部の長手方向に移動可能に支持する支持ガイドとを備え、
該送り駒に前記バーナ本体の先端部を嵌合させた状態で、前記送り駒を前記天板部の長手方向に移動させることにより、前記送り駒と前記バーナ本体とが一体に前記天板部の長手方向に移動するように構成されていることを特徴とすることを特徴とする作業台。
【請求項２】
前記支持部材は、前記バーナ本体の基端部を嵌合させる円筒状のバーナ本体取付部と、該バーナ本体取付部の周面から外方に突出する角形状の配管取付部とを備え、
該配管取付部を前記第１支持部の角形状の回動規制部に嵌合させることにより、前記バーナ本体の前記天板部上での回動が規制されることを特徴とする請求項１に記載の作業台。
【請求項３】
前記第１支持部の回動規制部は、前記配管取付部を嵌合させる角形状の溝部、孔部、又は凹部からなり、該回動規制部の内面に前記配管取付部の表面を係止させることにより、前記バーナ本体の前記天板部上での回動が規制されることを特徴とする請求項１又は２に記載の作業台。
【請求項４】
前記天板部及び前記脚部には、前記天板部及び前記脚部の長さを調整する長さ調整手段が設けられていることを特徴とする請求項１〜３の何れか１項に記載の作業台。
【請求項５】
前記脚部には、少なくとも一組のフック部が設けられ、該フック部に少なくとも一つのバーナをストック可能に構成されていることを特徴とする請求項１〜４の何れか１項に記載の作業台。
【発明の詳細な説明】
【技術分野】
【０００１】
本発明は、作業台に関し、特に、業務用大型ボイラの燃焼装置に用いられるバーナのメンテナンス等に有効な作業台に関する。
【背景技術】
【０００２】
業務用大型ボイラの燃焼装置に用いられるバーナは、例えば、特許文献１に記載されているように、火口を有するチップが先端部に着脱可能に取り付けられる円筒状のバーナ本体と、バーナ本体の基端部に着脱可能に取り付けられてバーナ本体を支持するとともに、バーナ本体に燃料（重油等）及び蒸気を供給するための燃料及び蒸気の配管が取り付けられる支持部材とを備えており、燃料及び蒸気の配管を介して支持部材に燃料及び蒸気を供給し、この燃料(重油等)及び蒸気を支持部材及びバーナ本体を介してチップ内側に導き、チップの内側で混合して火口からボイラの炉内に噴霧するように構成されている。
【特許文献１】特開昭６４−１４５０８号公報
【発明の開示】
【発明が解決しようとする課題】
【０００３】
ところで、上記のような構成のバーナにあっては、定期的にボイラの炉から取り外し、バーナ本体からチップを取り外して、チップの先端に付着した燃えカスを除去したり、バーナ本体を分解して内部を清掃したりする等のメンテナンスを行い、初期の噴霧性能を維持しているが、業務用大型ボイラのバーナは３〜４ｍの長さの長尺の重量物であるため、チップの分解、組立、バーナ本体の分解、組立等の作業に非常に手間がかかることになる。
【０００４】
また、チップやバーナ本体を分解、組立する場合に、円筒状のバーナ本体をパイプレンチ等の工具等で押えてバーナ本体を固定し、この状態でチップをパイプレンチ等の工具を利用して回し、バーナ本体の先端部から取り外さなければならないため、その作業に非常に手間がかかることになる。
【０００５】
本発明は、上記のような従来の問題に鑑みなされたものであって、バーナのメンテナンスを作業者に負担をかけることなく、容易に短時間で行うことができる作業台を提供することを目的とする。
【課題を解決するための手段】
【０００６】
上記問題を解決するために、本発明は、以下のような手段を作用している。
すなわち、本発明は、先端部にチップが着脱可能に取り付けられる円筒状のバーナ本体と、該バーナ本体の基端部に着脱可能に取り付けられて該バーナ本体を支持する支持部材とを備えたバーナのメンテナンス用の作業台であって、脚部と、該脚部の上部に水平に設けられる天板部と、該天板部の上部に設けられて前記バーナを該天板部の上部に水平に支持する支持手段とを備え、前記支持手段は、前記バーナ本体の基端部の支持部材を支持する第１支持部と、前記バーナ本体の先端部を支持する第２支持部とを備え、前記第１支持部は、前記支持部材の少なくとも一部を嵌合させることにより、前記バーナ本体の前記天板部上での回動を規制する回動規制部を備え、前記第２支持部は、前記バーナ本体の先端部を嵌合させる送り駒と、該送り駒を前記天板部の長手方向に移動可能に支持する支持ガイドとを備え、該送り駒に前記バーナ本体の先端部を嵌合させた状態で、前記送り駒を前記天板部の長手方向に移動させることにより、前記送り駒と前記バーナ本体とが一体に前記天板部の長手方向に移動するように構成されていることを特徴とする。
【０００７】
本発明の作業台によれば、天板部の上部にバーナを位置し、第１支持部の回動規制部に支持部材の少なくとも一部を嵌合させ、バーナ本体の先端部を第２支持部で支持することにより、バーナ本体の天板部上での回動が規制され、バーナ本体を工具等で押えることなく、バーナ本体の先端部のチップを回して取り外すことができる。また、バーナ本体の先端部を送り駒に嵌合させた状態で、支持ガイドを介して送り駒を天板部の長手方向に移動させることにより、送り駒と一体にバーナ本体が天板部の長手方向に移動し、バーナ本体の外筒を内筒上をスライドさせ、取り外すことが可能となる。
【０００８】
また、本発明は、前記支持部材は、前記バーナ本体の基端部を嵌合させる円筒状のバーナ本体取付部と、該バーナ本体取付部の周面から外方に突出する角形状の配管取付部とを備え、該配管取付部を前記第１支持部の角形状の回動規制部に嵌合させることにより、前記バーナ本体の前記天板部上での回動が規制されることを特徴とすることとしてもよい。
【０００９】
本発明の作業台によれば、支持部材の角形状の配管取付部を第１支持部の角形状の回動部に嵌合させることにより、バーナ本体の天板部上での回動が規制されることになる。
【００１０】
さらに、本発明は、前記第１支持部の回動規制部は、前記配管取付部を嵌合させる角形状の溝部、孔部、又は凹部からなり、該回動規制部の内面に前記配管取付部の表面を係止させることにより、前記バーナ本体の前記天板部上での回動が規制されることを特徴とすることとしてもよい。
【００１１】
本発明の作業台によれば、支持部材の配管取付部を、第１支持部の角形状の溝部、孔部、又は凹部からなる回動規制部に嵌合させることにより、回動規制部の内面に配管取付部の表面が係止され、バーナ本体部の天板部上での回動が規制されることになる。
【００１４】
さらに、本発明は、前記天板部及び前記脚部には、前記天板部及び前記脚部の長さを調整する長さ調整手段が設けられていることを特徴とすることとしてもよい。
【００１５】
本発明の作業台によれば、バーナの長さに応じて、長さ調整手段によって天板部及び脚部の長さを調整することにより、各種の長さのバーナのメンテナンスに対応することができる。
【００１６】
さらに、本発明は、前記脚部には、少なくとも一組のフック部が設けられ、該フック部に少なくとも一つのバーナをストック可能に構成されていることを特徴とすることとしてもよい。
【００１７】
本発明の作業台によれば、脚部の少なくとも一組のフック部に少なくとも一つのバーナをストックしておくことにより、複数のバーナのメンテナンスを連続して行うことができる。
【発明の効果】
【００１８】
以上、説明したように、本発明の作業台によれば、天板部の上部にバーナを位置し、第１支持部の回動規制部に支持部材の少なくとも一部を嵌合させ、バーナ本体の先端部を第２支持部で支持することにより、バーナ本体の天板部上での回動が規制されることになる。従って、バーナ本体をパイプレンチ等の工具で押えることなく、バーナ本体の先端部のチップを回してバーナ本体の先端部からチップを取り外すことができ、チップに付着した燃えカスの除去等のメンテナンスを容易に短時間で行うことができる。
また、バーナ本体の先端部を送り駒に嵌合させた状態で、支持ガイドによって送り駒を天板部の長手方向に移動させることにより、送り駒と一体にバーナ本体を移動させることができるので、バーナ本体の内筒上で外筒をスライドさせ、取り外すことができることになる。
さらに、バーナの長さに応じて、長さ調整手段によって天板部及び脚部の長さを調整することができるので、各種の長さのバーナのメンテナンスに対応することができ、汎用性を高めることができる。
さらに、脚部の少なくとも一組のフック部に少なくとも一つのバーナをストックしておくことにより、複数のバーナのメンテナンスを連続して行なうことができ、バーナのメンテナンスの効率を高めることができる。
【発明を実施するための最良の形態】
【００１９】
以下、図面を参照しながら本発明の実施の形態について説明する。
図１〜図８には、本発明による作業台の一実施の形態が示されていて、図１は全体を示す概略図、図２は図１の第１支持部の拡大図、図３は図１の第２支持部の拡大図、図４は  図１の長さ調整手段の拡大図、図５は作業台にバーナを取り付けた状態を示した説明図、図６は図５の第１支持部付近の拡大図、図７は図５の第２支持部付近の拡大図、図８はバーナの断面図である。
【００２０】
すなわち、この作業台１は、業務用大型ボイラの燃焼装置に用いられるバーナ４０（図８参照）のメンテナンスに有効なものであって、ボイラの炉から取り外したバーナ４０を分解、組み立てし、バーナ４０の先端部に付着した燃えカスの除去、内部の清掃等のメンテナンスを行うのに有効なものである。
【００２１】
バーナ４０は、例えば、図８に示すように、円筒状のバーナ本体４１と、バーナ本体４１の基端部に着脱可能に取り付けられる支持部材５０とを備え、支持部材５０をバーナ本体４１の基端部に取り付けた状態でバーナ本体４１をボイラの炉内に挿入し、支持部材５０を炉の外壁側に固定することによりボイラの炉に取り付けられ、その逆の手順を辿ることによりボイラの炉から取り外すことができる。
【００２２】
バーナ本体４１は、円筒状のディスタンスピース４２と、ディスタンスピース４２の内側に設けられる円筒状の外筒４３と、外筒４３の内側に設けられる円筒状の内筒４４と、内筒４４の内側に設けられるとともに、先端部が三角錐状のノズル部４５ａに形成される丸棒状のノズル４５と、ディスタンスピース４２、外筒４３、及び内筒４４の先端部に着脱可能に取り付けられる複数の火口４６ａを有する円筒状のチップ４６と、ディスタンスピース４２を外筒４３の外側に固定するキャップ４７とを備え、ノズル４５及び内筒４４が支持部材５０に固定され、外筒４３及びディスタンスピース４２が内筒４４の外周面上を軸線方向に移動可能に構成されている。
【００２３】
外筒４３の先端部外周面には、一対の面取り部４３ａ、４３ａが外筒４３の中心を中心として対向配置され、この一対の面取り部４３ａ、４３ａを後述する第２支持部３１の送り駒３７の溝部３７ａ内に嵌合させることにより、メンテナンスの際に外筒４３の先端部が第２支持部３１に支持される。
【００２４】
バーナ本体４１の外筒４３と内筒４４との間には、一端が後述する支持部材５０の燃料通路４８ａ、４８ｂに連通し、他端がチップ４６の内側に連通する燃料通路４８ｃが設けられるとともに、内筒４４とノズル４５との間には、一端が後述する支持部材５０の蒸気通路４９ａ、４９ｂに連通し、他端がチップ４６の内側に連通する蒸気通路４９ｃが設けられ、これらの燃料通路４８ａ、４８ｂ及び蒸気通路４９ａ、４９ｂを介してチップ４６の内側に燃料及び蒸気が供給される。
【００２５】
支持部材５０は、バーナ本体４１の基端部に着脱可能に取り付けられるアトマイザボディ５１と、アトマイザボディ５１に隣接するバーナー本体４１の基端部に着脱可能に取り付けられるアトマイザカップリング５６とを備えている。
【００２６】
アトマイザボディ５１は、中心部に取付孔５２ａが設けられる円筒状のバーナ本体取付部５２と、バーナ本体取付部５２に一体に設けられて、バーナ本体取付部５２の周面から外方に突出する角形状の配管取付部５３とを備え、バーナ本体取付部５２の取付孔５２ａ内にバーナ本体４１の基端部が第１スリーブ５４を介して嵌合され、配管取付部５３が後述する第１支持部２６の回動規制部３０に嵌合される。
【００２７】
バーナ本体取付部５２の内周面と第１スリーブ５４の外周面との間にはグランドパッキン組立体５５が介装され、このグランドパッキン組立体５５によってバーナ本体取付部５２と第１スリーブ５４との間がシールされる。
【００２８】
アトマイザボディ５１の内部には、一端がバーナ本体取付部５２の取付孔５２ａを介してバーナ本体４１の燃料通路４８ｃに連通し、他端が配管取付部５３の表面に開口する燃料通路４８ａと、一端がバーナ本体取付部５２の取付孔５２ａを介してバーナ本体４１の蒸気通路４９ｃに連通し、他端が配管取付部５３の表面に開口する蒸気通路４９ａとが設けられている。
【００２９】
アトマイザカップリング５６は、中心部に取付孔５７ａが貫通孔した状態で設けられる角形状のバーナ本体取付部５７と、バーナ本体取付部５７に一体に設けられて、バーナ本体取付部５７の表面から外方に突出する角形状の配管取付部５８とを備え、バーナ本体取付部５７の取付孔５７ａ内に第２スリーブ５９を介してバーナ本体４１の基端部が嵌合されている。
【００３０】
アトマイザカップリング５６の第２スリーブ５９の内周側には、図中左方からアトマイザボディ５１側の第１スリーブ５４の端部が嵌合され、図中右方からディスタンスピース４２の端部が嵌合され、これにより、バーナ本体４１とアトマイザボディ５１とアトマイザカップリング５６とが一体化されている。
【００３１】
また、第２スリーブ５９の右端部には止め板６０が設けられ、この止め板６０の中心部に設けられている取付孔６０ａ内にディスタンスピース４２の基端部を挿入させ、この状態でティスタンスピース４２の周面にグランドパッキン６１を介してロックナット６２を締め付けることにより、ディスタンスピース４２の基端部が第２スリーブ５９に固定される。
【００３２】
アトマイザカップリング５６の配管取付部５８には、一端がアトマイザボディ５１の配管取付部５３の燃料通路４８ａの開口部にカップリング６３を介して連通し、他端が配管取付部５８の表面に開口する燃料通路４８ｂと、一端がアトマイザボディ５１の配管取付部５３の蒸気通路４９ａの開口部にカップリング６３を介して連通し、他端が配管取付部５８の表面に開口する蒸気通路４９ｃとが設けられ、燃料通路４８ｂの開口部に燃料配管（図示せず）が取り付けられ、蒸気通路４９ｂの開口部に蒸気配管（図示せず）が取り付けられる。
【００３３】
アトマイザカップリング５６の配管取付部５８には、ヨーク（図示せず）が回動可能に取り付けられ、このヨークをアトマイザボディ５１の配管取付部５３の図中左側の面に引っ掛けた状態で、ヨークに設けられている固定ねじ６４をハンドル６５の操作によって配管取付部５８の表面に締め付けることにより、アトマイザカップリング５６の配管取付部５８とアトマイザボディ５１の配管取付部５３とが一体化された状態に固定される。
【００３４】
上記のような構成のバーナ４０のメンテナンスに用いる本実施の形態による作業台１は、図１〜図７に示すように、脚部２と、脚部２の上部に水平に設けられる天板部２０と、天板部２０の上部に設けられる支持手段２５とを備えている。
【００３５】
脚部２は、図１に示すように、作業台１の長手方向の両端に配置される一対の脚３、３と、両脚３、３の上端部間を溶接等により一体に連結する上横材７、７と、両脚３、３の下端部間を溶接等により一体に連結する下横材８、８とからなる略台形台状に枠組みされたものであって、この脚部２の上部に天板部２０が水平に設けられている。
【００３６】
各脚３は、ハ字状に配置される一対の縦材４、４と、一対の縦材４、４の上端間を溶接等により一体に連結する上横材５と、一対の縦材４、４の下端間を溶接等により一体に連結する下横材６とから構成されている。各脚３は、作業台１の長手方向の両端にそれぞれ鉛直に配置され、両脚３、３の対向する縦材４、４の下端部間が前述した下横材８を介して一体に連結され、両脚３、３の対向する縦材４、４の上端部間が前述した上横材７を介して一体に連結されている。
【００３７】
両脚３、３の対向する縦材４、４の上端部間を連結する上横材７、及び下端部間を連結する下横材８は、長手方向の所望の位置で２つに分割され、この２つに分割された部分に上横材７、及び下横材８の全長を変化させる長さ調整手段１０が設けられている。
【００３８】
長さ調整手段１０は、図４に示すように、例えば、上横材７の分割部の一方に設けられる嵌合部１１と、分割部の他方に設けられるとともに、嵌合部１１を相対的にスライド可能に嵌合させる被嵌合部１２と、嵌合部１１を被嵌合部１２に嵌合させた状態に固定する固定手段１３とから構成され、嵌合部１１の被嵌合部１２への嵌合量を調整することにより、上横材７及び下横材８の全長を変化させることができる。
【００３９】
長さ調整手段１０の嵌合部１１及び被嵌合部１２は、例えば、分割部の一方に設けられる角形状の突出部と、他方に設けられる突出部を嵌合させ得る角形状の嵌合孔又は嵌合溝とから構成される。但し、これらの組み合わせに限らず、嵌合部１１と被嵌合部１２とを相対的にスライド可能に嵌合させる得る形状のものであればよい。固定手段１３としては、例えば、ボルトとナットとの組み合わせ、連結ピン等が挙げられる。
【００４０】
脚部２の対向する両脚３、３の外面側には、上下方向に所定の間隔ごとに複数組のフック部１４が設けられ、各組のフック部１４にバーナ４０がストックされるように構成されている。各組のフック部１４は、一方の脚３の外面に溶接等により一体に連結される、先端部にＵ形状の溝１５ａを有する第１フック１５と、他方の脚３の外面に溶接等により一体に連結される、先端部にＵ形状の溝１６ａを有する第２フック１６とを備え、第１フック１５の溝１５ａと第２フック１６の溝１６ａとの間にバーナ本体４１の先端部及び基端部を上方から嵌合させることにより、脚部２の外面側にバーナ４０がストックされる。
【００４１】
各脚３の縦材４、上横材５、及び下横材６、両脚３、３の対向する縦材４、４間を連結する上横材７、及び下横材８は、山形鋼、溝形鋼、角鋼管、丸鋼管等の各種の鋼材から形成されている。
【００４２】
脚部２の上部には、長方形状の天板部２０が水平に一体に設けられている。天板部２０は、山形鋼、溝形鋼、鋼管等の各種の鋼材から形成され、脚部２の上部に溶接等により一体に連結されている。本実施の形態では、天板部２０にコ形状の溝形鋼を用い、溝形鋼の開口部が下方を向くように、脚部２の上部に溶接により一体に連結している。
【００４３】
天板部２０は、長手方向の任意の位置で２つに分割され、この２つに分割された部分に天板部３０の全長を変化させる長さ調整手段２１が設けられている。
【００４４】
長さ調整手段２１は、図４に示すように、例えば、天板部２０の分割部の一方に設けられる嵌合部２２と、分割部の他方に設けられるとともに、嵌合部２２を相対的にスライド可能に嵌合させる被嵌合部２３と、嵌合部２２を被嵌合部２３内に嵌合させた状態に固定する固定手段２４とから構成され、嵌合部２２の被嵌合部２３への嵌合量を調整することにより、天板部２０の全長を変化させることができる。
【００４５】
長さ調整手段２１の嵌合部２２及び被嵌合部２３は、例えば、分割部の一方に設けられる角形状の突出部と、他方に設けられる突出部を嵌合させ得る角形状の嵌合孔又は嵌合溝とから構成される。但し、これらの組み合わせに限らず、嵌合部２２と被嵌合部２３とを相対的にスライド可能に嵌合させる得る形状であればよい。固定手段２４としては、例えば、ボルトとナットとの組み合わせ、連結ピン等が挙げられる。
【００４６】
支持手段２５は、天板部２０の長手方向の一端部（図１、図５中左端部）に設けられてバーナ４０の支持部材５０を下方から支持する第１支持部２６と、天板部２０の長手方向の他端部（図１、図５中右端部）に設けられてバーナ４０のバーナ本体４１の先端部を下方から支持する第２支持部３１とを備え、第１支持部２６と第２支持部３１との協働により、バーナ４０が天板部２０の上部に水平に支持される。
【００４７】
第１支持部２６は、図１、図２に示すように、天板部２０の上部の幅方向の両側部に立設される一対の平板状の外板２７、２７と、両外板２７、２７の内面２７ａ、２７ａ間の２箇所を連結する平板状の第１内板２８と第２内板２９とを備え、一対の外板２７、２７と第１内板２８と第２内板２９とによって囲まれる部分に平面視角形状の溝部、孔部、又は凹部（本実施の形態では孔部）からなる回動規制部３０が設けられ、この回動規制部３０内に、図５に示すように、バーナ４０の支持部材５０のアトマイザボディ５１の配管取付部５３が嵌合される。
【００４８】
第１支持部２６の各外板２７は、上端部が天板部２０の長手方向の一端（図１、図２中左端）から外方に所定量突出するように、天板部２０の一端部に斜めに溶接等により一体に連結され、両外板２７、２７の上端部の最外側（天板部２０の一端から離れる方向の側）の内面２７ａ、２７ａ間が第１内板２８によって一体に連結され、第１内板２８よりも天板部２０の内方かつ下方の両外板２７、２７の内面２７ａ、２７ａ間が第２内板２９によって一体に連結されている。
【００４９】
この場合、第１内板２８及び第２内板２９は両外板２７、２７間に垂直に設けられ、この第１内板２８と第２内板２９と両外板２７、２７とによって囲まれる部分に、バーナ４０の支持部材５０のアトマイザボディ５１の配管取付部５３を嵌合させる配管取付部５３よりも僅かに大きい平面視角形状の孔部からなる回動規制部３０が設けられている。
【００５０】
回動規制部３０の各外板２７の内面２７ａに、回動規制部３０内に嵌合されるバーナ４０のアトマイザボディ５１の配管取付部５３の第１側面５３ａ、第２側面５３ｂ（バーナ本体４１の軸線に沿う２つの側面）が係止され、これにより、アトマイザボディ５１の天板部２０上での回動が規制され、アトマイザボディ５１に連結されるバーナ本体４１が天板部２０上で回動するのが規制される。
【００５１】
回動規制部３０の第１内板２８の内面２８ａ、及び第２内板２９の内面２９ａに、アトマイザボディ５１の配管取付部５３の第３側面５３ｃ及び第４側面５３ｄ（図１中左側の側面及び図１中右側の側面）が係止され、これにより、アトマイザボディ５１及びアトマイザボディ５１に連結されるバーナ本体４１の内筒４４が第１支持部２６に固定され、内筒４４の外側の外筒４３を第２支持部３１の方向に送り出すことができる。
【００５２】
第２支持部３１は、図１、図３に示すように、天板部２０の他端部（図１中右端部）にボルト・ナット等の固定手段３２により固定されるコ形状の基枠３３と、基枠３３の内側に連結ピン３４を介して天板部２０の長手方向に回動可能に設けられるコ形状の支持ガイド３５と、支持ガイド３５の内側に連結ピン３６を介して天板部２０の長手方向に回動可能に設けられるとともに、中心部にバーナ本体４１の外筒４３の先端部を嵌合させる溝部３７ａが設けられる送り駒３７とから構成されている。
【００５３】
基枠３３は、天板部２０の他端部に設けられている長孔２０ａに固定手段３２を介して固定され、この長孔２０ａの範囲内で基枠３３を天板部２０の長手方向に移動させことにより、基枠３３と一体に支持ガイド３５及び送り駒３７を移動させることができ、基枠３３と支持ガイド３５と送り駒３７とからなる第２支持部３１を長孔２０ａの長さの範囲内の所望の位置に固定することができる。
【００５４】
支持ガイド３５には、上方に突出するレバー３５ａが一体に設けられ、このレバー３５ａを操作して支持ガイド３５を連結ピン３４を中心として天板部２０の長手方向に回動させることにより、支持ガイド３５と一体に送り駒３７が同一方向に回動され、送り駒３７の溝部３７ａに嵌合されるバーナ本体４１の外筒４３が天板部２０の長手方向の外方に送り出される。
【００５５】
この場合、送り駒３７は、支持ガイド３５の内側で連結ピン３６を中心として回動することにより垂直状態に保たれ、送り駒３７の溝部３７ａに嵌合されるバーナ本体４１の外筒４３の一対の面取り部４３ａ、４３ａが溝部３７ａから外れるのが防止され、バーナ本体４１の外筒４３を第２支持部３１によって支持続けることができる。
【００５６】
そして、上記のような構成の本実施の形態による作業台１を用いてバーナ４０のメンテナンスを行うには、バーナ４０（図８参照）をボイラの炉から取り外し、バーナ４０を床面上等に載置し、バーナ本体４１のキャップナット４７、ロックナット６２、グランドパッキン６１、止め板６０、ディスタンスピース４２、第２スリーブ５９等を取り外し、アトマイザカップリング５６をアトマイザボディ５１から取り外し、バーナ本体４１の外筒４３及び第１スリーブ５４の一部を露出させた状態とする（図１参照）。
【００５７】
次に、図１に示すように、作業台１の上方にディスタンスピース４２等を取り外したバーナ４０を位置し、図５、図６、図７に示すように、上方からアトマイザボディ５１の配管取付部５３を天板部２０の第１支持部２６の回動規制部３０内に嵌合させ、外筒４３の先端部の一対の面取り部４３ａ、４３ａを第２支持部３１の送り駒３７の溝部３７ａ内に嵌合させる。
【００５８】
次に、外筒４３の先端部に取り付けられているチップ４６をパイプレンチ等の工具を用いて緩める方向に回し、チップ４６を外筒４３の先端部から取り外し、外筒４３、その内側の内筒４４、及びノズル４５の先端を露出させる。この場合、アトマイザボディ５１の配管取付部５３の第１側面５３ａ、第２側面５３ｂが回動規制部３０の一対の外板４７、４７の内面４７ａ、４７ａに係止されることにより、アトマイザボディ５１の天板部２０上での回動が規制され、アトマイザボディ５１に連結されているバーナ本体４１の外筒４３、内筒４４等が天板部２０上で回動するのが規制され、外筒４３側をパイプレンチ等の工具を用いて押えることなく、チップ４６を回して取り外すことができる。
【００５９】
次に、天板部２０の右端部の第２支持部３１のレバー３５ａを操作して支持ガイド３５を天板部２０の長手方向の外方に回動させ、支持ガイド３５と一体に送り駒３７を回動させ、送り駒３７に先端部が支持されている外筒４３を同一方向に送り出し、外筒４３を内筒４４の外周面上をスライドさせて取り外し、内筒４４を露出させる。この場合、アトマイザボディ５１の配管取付部５３の第３側面５３ｃ、第４側面５３ｄが第１支持部２６の第１内板２８の内面２８ａ、第２内板２９の内面２９ａに係止されることにより、工具を用いてアトマイザボディ５１を固定することなく、外筒４３を取り外すことができる。
【００６０】
このようにして、チップ４６、外筒４３を取り外すことにより、バーナ本体４１の内筒４４を完全に露出させた状態とすることができ、内筒４４、外筒４３、ノズル４５等の清掃、チップ４６に付着している燃えカスの除去等の各種のメンテナンスを行うことができる。そして、メンテナンス終了後に、上記した逆の手順を辿ることにより、バーナ４０を元の状態に組み立てることができ、バーナ４０を燃焼装置として使用可能な状態とすることができる。
【００６１】
上記のように構成した本実施の形態による作業台１にあっては、バーナ４０のメンテナンスを行う場合に、円筒状のバーナ本体４１をパイプレンチ等の工具で押えることなく、チップ４６を回してバーナー本体４１の先端部から取り外すことができるので、チップ４６に付着している燃えカスの除去等のメンテナンスを容易に短時間で行うことができる。
【００６２】
また、バーナ本体４１の外筒４３を取り外す場合、アトマイザボディ５１の配管取付部５３を天板部２０の第１支持部２６の回動規制部３０に嵌合させ、外筒４３の先端部の一対の面取り部４３ａ、４３を第２支持部３１の送り駒３７の溝部３７ａ内に嵌合させ、この状態で第２支持部３１の支持ガイド３５のレバー３５ａを操作して送り駒３７を天板部２０の長手方向の外方（第１支持部２６から離れる方向）に移動させるだけでよいので、外筒４３の取り外しを容易に短時間で行うことができ、外筒４３、内筒４４、ノズル４５の清掃等のメンテナンスを容易に短時間で行うことができる。
【００６３】
さらに、脚部２の外面のフック部１４にメンテナンス前のバーナ４０を複数ストックしておくことができるので、複数のバーナ４０のメンテナンスを連続して行うことができ、バーナ４０のメンテナンスの効率を高めることができる。
【００６４】
なお、前記の説明においては、バーナ４０のメンテナンスを行う場合に本発明の作業台１を適用したが、バーナ３０以外の円筒状のもののメンテナンスに本発明による作業台１を適用してもよいものであり、その場合にも同様の作用効果を奏する。
【図面の簡単な説明】
【００６５】
【図１】本発明による作業台の一実施の形態を示した概略図であって、バーナの取り付け前の状態を示した説明図である。
【図２】図１の第１支持部の拡大図である。
【図３】図１の第２支持部の拡大図である。
【図４】図１の長さ調整手段の拡大図である。
【図５】作業台にバーナを取り付けた状態を示した説明図である。
【図６】図５の第１支持部付近の拡大図である。
【図７】図５の第２支持部付近の拡大図である。
【図８】バーナの断面図である。
【符号の説明】
【００６６】
１  作業台
２  脚部                              ３  脚
４  縦材                              ５  上横材
６  下横材                            ７  上横材
８  下横材                            １０  長さ調整手段
１１  嵌合部                          １２  被嵌合部
１３  固定手段                        １４  フック部
１５  第１フック                      １５ａ  溝
１６  第２フック                      １６ａ  溝
２０  天板部                          ２０ａ  長孔
２１  長さ調整手段                    ２２  嵌合部
２３  被嵌合部                        ２４  固定手段
２５  支持手段                        ２６  第１支持部
２７  外板                            ２７ａ  内面
２８  第１内板                        ２８ａ  内面
２９  第２内板                        ２９ａ  内面
３０  回動規制部                      ３１  第２支持部
３２  固定手段                        ３３  基枠
３４  連結ピン                        ３５  支持ガイド
３５ａ  レバー                        ３６  連結ピン
３７  送り駒                          ３７ａ  溝部
４０  バーナ                          ４１  バーナ本体
４２  ディスタンスピース              ４３  外筒
４３ａ  面取り部                      ４４  内筒
４５  ノズル                          ４５ａ  ノズル部
４６  チップ                          ４６ａ  火口
４７  キャップ                        ４８ａ、４８ｂ、４８ｃ  燃料通路
４９ａ、４９ｂ、４９ｃ  蒸気通路      ５０  支持部材
５１  アトマイザボディ                ５２  バーナ本体取付部
５２ａ  取付孔                        ５３  配管取付部
５３ａ  第１側面                      ５３ｂ  第２側面
５３ｃ  第３側面                      ５３ｄ  第４側面
５４  第１スリーブ                    ５５  グランドパッキン組立体
５６  アトマイザカップリング          ５７  バーナ本体取付部
５７ａ  取付孔                        ５８  配管取付部
５９  第２スリーブ                    ６０  止め板
６０ａ  取付孔                        ６１  グランドパッキン
６２  ロックナット                    ６３  カップリング
６４  固定ねじ                        ６５  ハンドル
【図１】
0005137697.tif 000002
【図２】
0005137697.tif 000003
【図３】
0005137697.tif 000004
【図４】
0005137697.tif 000005
【図５】
0005137697.tif 000006
【図６】
0005137697.tif 000007
【図７】
0005137697.tif 000008
【図８】
0005137697.tif 000009